(57)【要約】      （修正有）【課題】封印作業を行う際の作業効率を向上させるスマートメータの封印取付具を提供する。【解決手段】封印取付具１００は、スマートメータに封印ワイヤを取り付ける際に用いられる部品であり、スマートメータ本体に装着されるカバーと、カバーが本体に装着されているときにカバーの第１挿通孔を通して本体の雌螺子に螺合し、カバーを前記本体に固定させる雄螺子と、を備えたスマートメータの封印取付具であって、本体の雄螺子の頭部の径よりも大きい径を有する大径孔１０２Ａと、雄螺子の頭部の径よりも小さく且つ雄螺子の径よりも大きい径を有する小径孔１０２Ｂと、が連続して形成される達磨孔１０２と、封印ワイヤが雄螺子の頭部の第２挿通孔とともに挿通される第３挿通孔１０３Ａと、達磨孔及び第３挿通孔が形成される平板１０１と、雄螺子が小径孔を挟んで雌螺子に螺着された状態において、平板の移動を規制する規制片１０４と、を備える。【選択図】図３
2018040606.tif 000002
【特許請求の範囲】
【請求項１】
電力ケーブルが接続される端子部と、電力使用量を計測する計測部と、前記電力使用量の計測結果を外部に対して通信する通信部と、が収容される本体と、前記本体に装着されるカバーと、前記カバーが前記本体に装着されているときに前記カバーの第１挿通孔を通して前記本体の雌螺子に螺合し、前記カバーを前記本体に固定させる雄螺子と、を備えたスマートメータの封印取付具であって、
前記雄螺子の頭部の径よりも大きい径を有する大径孔と、前記雄螺子の頭部の径よりも小さく且つ前記雄螺子の径よりも大きい径を有する小径孔と、が連続して形成され、前記雄螺子が前記小径孔を挟んで前記雌螺子に螺着されるように、前記雄螺子を前記大径孔から前記小径孔へ案内する達磨孔と、
封印ワイヤが前記雄螺子の頭部の第２挿通孔とともに挿通される第３挿通孔と、
前記達磨孔及び前記第３挿通孔が形成される平板と、
前記雄螺子が前記小径孔を挟んで前記雌螺子に螺着された状態において、前記平板の移動を規制する規制片と、
を備えたことを特徴とするスマートメータの封印取付具。
【請求項２】
前記平板から突出し、前記第３挿通孔を形成する突出片
を備えたことを特徴とする請求項１に記載のスマートメータの封印取付具。
【請求項３】
前記突出片は、アーチ形状を呈する
ことを特徴とする請求項２に記載のスマートメータの封印取付具。
【請求項４】
前記突出片は、前記規制片に対して前記達磨孔よりも近い位置に設けられる
ことを特徴とする請求項２又は請求項３に記載のスマートメータの封印取付具。
【請求項５】
前記規制片は、前記カバーの前記平板が接する面とは異なる面に接する
ことを特徴とする請求項１〜請求項４の何れか一項に記載のスマートメータの封印取付具。
【請求項６】
前記規制片は、前記平板の端から前記平板の厚み方向に延在するように形成される
ことを特徴とする請求項５に記載のスマートメータの封印取付具。
【請求項７】
樹脂を用いて一体成形される
ことを特徴とする請求項６に記載のスマートメータの封印取付具。
【発明の詳細な説明】
【技術分野】
【０００１】
本発明は、スマートメータの封印取付具に関する。
【背景技術】
【０００２】
需要家宅における電力使用量を測定するスマートメータの封印取付具として、例えば、特許文献１，２に記載された技術が知られている。
【先行技術文献】
【特許文献】
【０００３】
【特許文献１】特開２００９−２１７０６８号公報
【特許文献２】特開２０１１−４７８０４号公報
【発明の概要】
【発明が解決しようとする課題】
【０００４】
スマートメータは例えば需要家宅の外壁に取り付けられるが、スマートメータの取付位置としては、電力会社の作業員がスマートメータと対面しながら封印作業を行えるような位置であることが望ましい。しかし、需要家宅の上下水道管やガス管等の配管スペースによっては、電力会社の作業員がスマートメータと対面することが難しい狭い場所を当該スマートメータの取付位置として設定せざるを得ない場合がある。この場合、電力会社の作業員がスマートメータの側面と対面することになるため、封印作業を行う際の作業効率が低下する虞があった。
【０００５】
そこで、本発明は、封印作業を行う際の作業効率を向上させるスマートメータの封印取付具を提供することを目的とする。
【課題を解決するための手段】
【０００６】
前述した課題を解決する主たる本発明は、電力ケーブルが接続される端子部と、電力使用量を計測する計測部と、前記電力使用量の計測結果を外部に対して通信する通信部と、が収容される本体と、前記本体に装着されるカバーと、前記カバーが前記本体に装着されているときに前記カバーの第１挿通孔を通して前記本体の雌螺子に螺合し、前記カバーを前記本体に固定させる雄螺子と、を備えたスマートメータの封印取付具であって、前記雄螺子の頭部の径よりも大きい径を有する大径孔と、前記雄螺子の頭部の径よりも小さく且つ前記雄螺子の径よりも大きい径を有する小径孔と、が連続して形成され、前記雄螺子が前記小径孔を挟んで前記雌螺子に螺着されるように、前記雄螺子を前記大径孔から前記小径孔へ案内する達磨孔と、封印ワイヤが前記雄螺子の頭部の第２挿通孔とともに挿通される第３挿通孔と、前記達磨孔及び前記第３挿通孔が形成される平板と、前記雄螺子が前記小径孔を挟んで前記雌螺子に螺着された状態において、前記平板の移動を規制する規制片と、を備える。
【０００７】
本発明の他の特徴については、添付図面及び本明細書の記載により明らかとなる。
【発明の効果】
【０００８】
本発明によれば、封印作業を行う際の作業効率を向上させることが可能になる。
【図面の簡単な説明】
【０００９】
【図１】本実施形態に係る封印取付具が用いられるスマートメータの一例を示す斜視図である。
【図２】本実施形態に係る封印取付具が用いられるスマートメータの一例を示す分解斜視図である。
【図３】本実施形態に係る封印取付具の一例を示す斜視図である。
【図４Ａ】本実施形態に係る封印取付具の一例をＸ軸に沿う方向から見た場合の図である。
【図４Ｂ】本実施形態に係る封印取付具の一例をＹ軸に沿う方向から見た場合の図である。
【図４Ｃ】本実施形態に係る封印取付具の一例をＺ軸に沿う方向から見た場合の図である。
【図５】本実施形態に係る封印取付具が取り付けられた状態のスマートメータの一例を示す斜視図である。
【図６Ａ】本実施形態に係る一方の封印取付具が取り付けられた状態のスマートメータの一例を部分的に示す拡大斜視図である。
【図６Ｂ】本実施形態に係る他方の封印取付具が取り付けられた状態のスマートメータの一例を部分的に示す拡大斜視図である。
【図７Ａ】本実施形態に係る一方の封印取付具をスマートメータに取り付ける過程を示す図である。
【図７Ｂ】本実施形態に係る一方の封印取付具をスマートメータに取り付ける他の過程を示す図である。
【発明を実施するための形態】
【００１０】
本明細書および添付図面の記載により、少なくとも以下の事項が明らかとなる。
【００１１】
＝＝＝スマートメータ＝＝＝
図１は、本実施形態に係る封印取付具が用いられるスマートメータの一例を示す斜視図である。図２は、本実施形態に係る封印取付具が用いられるスマートメータの一例を示す分解斜視図である。尚、説明の便宜上、図１及び図２に示すスマートメータにおいて、本体におけるカバーが装着される側の面を「前面」と称し、本体における前面とは反対側の面を「背面」と称し、本体における前面と背面との間に介在する左右の面を「側面」と称することとする。
【００１２】
スマートメータ１は、端子部２、計測部３、表示部４、通信部５を含んで構成され、例えば電力使用量を計測するデジタル計測機器である。又、スマートメータ１は、スマートメータ１自体の外形を形成する筐体として、本体６及びカバー７を更に含んで構成されている。本体６は、前面における実質的に半分の領域に窪んで形成される収容部８と、前面における収容部８の両側の縁９Ａ，９Ｂの端部に穿設される雌螺子１０Ａ，１０Ｂと、を有している。
【００１３】
カバー７は、本体６の前面において収容部８を覆うように着脱自在に装着される部材であって、第１挿通孔１１Ａ，１１Ｂを有している。第１挿通孔１１Ａ，１１Ｂは、雌螺子１０Ａ，１０Ｂの径よりも僅かに大きい径を有し、カバー７が本体６に装着されたときに雌螺子１０Ａ，１０Ｂの夫々に対して同心円状に配置される位置に穿設されている。雄螺子１２Ａ，１２Ｂは、カバー７を本体６に固定するための螺子であって、頭部には封印ワイヤ１３を挿通するための第２挿通孔１４Ａ，１４Ｂが穿設されている。そして、カバー７が本体６に装着された状態において、第１挿通孔１１Ａ，１１Ｂを通して雄螺子１２Ａ，１２Ｂを雌螺子１０Ａ，１０Ｂに螺着して締め付けることによって、カバー７を本体６に固定することが可能になる。
【００１４】
端子部２は、需要家宅で消費される電力使用量を計測することを目的として、需要家宅に敷設されている電力ケーブルの末端が接続される複数の端子２Ａ（２Ａ１〜２ＡＮ）からなる端子群であって、収容部８に設けられている。特に、複数の端子２Ａは、スマートメータ１における本体６とカバー７との間の隙間１５から電力ケーブルが露出するように、一定間隔を介して一列に整列した状態で設けられている。
【００１５】
計測部３は、需要家宅で消費される電力使用量をデジタル処理によって計測する機能を有し、本体６において収容部８に隣接する内部空間１６に設けられている。計測部３は、本体６の外側から確認することができないため、破線で示されている。
【００１６】
表示部４は、計測部３の計測結果である電力使用量を示す情報を表示パネル４Ａ（例えばＬＣＤパネル）を通して表示する機能を有し、本体６の前面において収容部８に隣接する位置に設けられている。
【００１７】
通信部５は、外部の通信機器に対して通信を行う（例えば当該電力使用量の計測結果を外部の通信機器に送信する）機能が格納された筐体として、収容部８に設けられている。
【００１８】
そして、収容部８に収容されている端子部２や通信部５のメンテナンスを行う場合、雄螺子１２Ａ，１２Ｂを雌螺子１０Ａ，１０Ｂから取り外すことによって、カバー７を本体６から取り外すことが可能になる。
【００１９】
スマートメータ１の背面（本体６の背面）は、本体６とカバー７との間の隙間１５が下側を向くように、例えば需要家宅の外壁に取り付けられている。
【００２０】
＝＝＝封印取付具＝＝＝
図３は、本実施形態に係る封印取付具の一例を示す斜視図である。図４Ａは、本実施形態に係る封印取付具の一例をＸ軸に沿う方向から見た場合の図である。図４Ｂは、本実施形態に係る封印取付具の一例をＹ軸に沿う方向から見た場合の図である。図４Ｃは、本実施形態に係る封印取付具の一例をＺ軸に沿う方向から見た場合の図である。
【００２１】
封印取付具１００は、スマートメータ１に対する不正操作を防止することを目的として、スマートメータ１に封印ワイヤ１３を取り付ける際に、封印ワイヤ１３とともに用いられる部品である。
【００２２】
封印取付具１００は、平板１０１、達磨孔１０２、突出片１０３、規制片１０４を含んで構成されている。封印取付具１００は、例えば予め用意されている金型に樹脂を封入することによって一体的に樹脂成形されることとする。
【００２３】
平板１０１は、達磨孔１０２及び突出片１０３を有する例えば四角形状を呈する板部材である。尚、説明の便宜上、平板１０１は、Ｘ軸及びＹ軸で形成されるＸＹ平面に沿っていることとする。
【００２４】
達磨孔１０２は、封印取付具１００をスマートメータ１に取り付けるために、平板１０１に穿設される孔である。達磨孔１０２は、大径孔１０２Ａ及び小径孔１０２Ｂが連続して形成される孔である。大径孔１０２Ａは、雄螺子１２Ａ，１２Ｂの頭部１２Ｃの径よりも大きい径を有する例えば円孔であって、小径孔１０２Ｂが穿設される位置よりも−Ｘ側の位置に穿設されている。又、小径孔１０２Ｂは、雄螺子１２Ａ，１２Ｂの頭部１２Ｃの径よりも小さく且つ雄螺子１２Ａ，１２Ｂの径よりも大きい径を有する例えばＸ軸に沿う長孔であって、大径孔１０２Ａが穿設される位置よりも＋Ｘ側の位置に穿設されている。つまり、大径孔１０２Ａ及び小径孔１０２Ｂは、Ｘ軸に沿う方向に連続して穿設されている。尚、本実施形態において、大径孔１０２Ａ及び小径孔１０２Ｂは、夫々−Ｘ側及び＋Ｘ側に穿設されている。しかし、大径孔１０２Ａ及び小径孔１０２Ｂは、上記の相対的な位置関係に限ることなく、夫々＋Ｘ側及び−Ｘ側に穿設されるようにしてもよい。又、本実施形態において、小径孔１０２Ｂは、長孔形状を呈している。しかし、小径孔１０２Ｂは、上記の孔形状に限ることなく、大径孔１０２Ａと部分的に重なって連続する円孔であってもよい。
【００２５】
突出片１０３は、封印ワイヤ１３を挿通させる第３挿通孔１０３Ａを形成する片である。突出片１０３は、平板１０１の＋Ｚ側を向いている面に対してアーチ形状を呈するように突出して設けられている。第３挿通孔１０３Ａは、平板１０１及び突出片１０３で囲まれた領域に形成される孔である。そして、達磨孔１０２は、平板１０１上において、突出片１０３の位置よりも＋Ｙ側の位置に穿設される。又、突出片１０３は、平板１０１上において、達磨孔１０２の位置よりも−Ｙ側に設けられる。換言すると、突出片１０３は、平板１０１上において、達磨孔１０２よりも規制片１０４に近い位置に設けられている。尚、本実施形態において、突出片１０３は、アーチ形状を呈しているが、上記の形状に限ることなく、例えば三角形状や四角形状を呈していてもよい。
【００２６】
規制片１０４は、封印取付具１００をスマートメータ１に取り付けた際に、平板１０１が雄螺子１２Ａ，１２Ｂの螺合方向（Ｚ軸に沿う方向）を中心に回動する範囲を規制する例えば四角形状を呈する板部材である。規制片１０４は、平板１０１における突出片１０３が設けられている側（−Ｙ側）の端部１０１Ｃを基点として、平板１０１における突出片１０３が設けられている側（＋Ｚ側）の面１０１Ａから突出片１０３が設けられていない側（−Ｚ側）の面１０１Ｂへ向かう方向である平板１０１の厚み方向（Ｘ軸及びＺ軸で形成されるＸＺ平面に沿う方向）に沿って延在するように設けられている。このように、規制片１０４は、平板１０１に対して直角に折れ曲がるように形成されている。つまり、封印取付具１００をスマートメータ１に取り付けた際に、平板１０１の面１０１Ｂは、カバー７における雄螺子１２Ａ，１２Ｂの頭部１２Ｃが突出している面７Ａに当接し、又、規制片１０４における平板１０１の面１０１Ｂから連続して直角に折れ曲がる側（＋Ｙ側）の面１０４Ｂは、カバー７における面７Ａから実質的に直角に折れ曲がる面７Ｂ又は面７Ｃに当接する。従って、封印取付具１００をスマートメータ１に取り付けてしまうと、平板１０１が雄螺子１２Ａ，１２Ｂの螺合方向を中心に回動する範囲は、カバー７の面７Ｂ，７Ｃで挟まれる角度に規制されることとなる。尚、本実施形態において、規制片１０４は、１枚の板部材であるが、これに限ることなく、例えば平板１０１の端部１０１Ｃから離れて延在する２枚以上の板部材であってもよい。
【００２７】
＝＝＝封印取付具の取付操作＝＝＝
図５は、本実施形態に係る封印取付具が取り付けられた状態のスマートメータの一例を示す斜視図である。図６Ａは、本実施形態に係る一方の封印取付具が取り付けられた状態のスマートメータの一例を部分的に示す拡大斜視図である。図６Ｂは、本実施形態に係る他方の封印取付具が取り付けられた状態のスマートメータの一例を部分的に示す拡大斜視図である。図７Ａは、本実施形態に係る一方の封印取付具をスマートメータに取り付ける過程を示す図である。図７Ｂは、本実施形態に係る一方の封印取付具をスマートメータに取り付ける他の過程を示す図である。尚、説明の便宜上、スマートメータ１に対するメンテナンス等の作業が完了した後、本体６にカバー７を装着するとともに第１挿通孔１１Ａ，１１Ｂを通して雄螺子１２Ａ，１２Ｂを雌螺子１０Ａ，１０Ｂに螺合した状態を前提として、封印取付具１００の取付操作を説明する。
【００２８】
先ず、雄螺子１２Ａ，１２Ｂが雌螺子１０Ａ，１０Ｂに螺合して締め付けられている状態から、雄螺子１２Ａ，１２Ｂが雌螺子１０Ａ，１０Ｂに螺合する範囲内において、雄螺子１２Ａ，１２Ｂの頭部１２Ｃを除く螺子部分がカバー７の面７Ａから平板１０１の厚みよりも長く露出するように、雄螺子１２Ａ，１２Ｂを緩める。
【００２９】
次に、達磨孔１０２を形成する一方の孔である大径孔１０２Ａに雄螺子１２Ａ，１２Ｂの頭部１２Ｃが挿通されるように、封印取付具１００における平板１０１の部分をカバー７の面７Ａに載置する。
【００３０】
次に、達磨孔１０２を形成する他方の孔である小径孔１０２Ｂに雄螺子１２Ａ，１２Ｂの螺子部分が囲まれるように、平板１０１をカバー７の面７Ａに沿って白抜き矢印の方向にスライドさせる（図７Ａ及び図７Ｂの上段）。これによって、雄螺子１２Ａ，１２Ｂの頭部１２Ｃが平板１０１における小径孔１０２Ｂの周囲の面に引っ掛かるため、封印取付具１００はカバー７上に留まることとなる（図７Ａ及び図７Ｂの下段）。
【００３１】
次に、平板１０１を介して緩めてある雄螺子１２Ａ，１２Ｂを締め付ける。これによって、平板１０１の面１０１Ｂはカバー７の面７Ａに当接し、規制片１０４の面１０４Ｂはカバー７の面７Ｂに当接し、封印取付具１００はスマートメータ１に固定されることとなる。尚、規制片１０４の面１０４Ｂはカバー７の面７Ｃに当接するようにしてもよい。
【００３２】
最後に、封印ワイヤ１３を、雄螺子１２Ａ，１２Ｂの頭部１２Ｃに穿設されている第２挿通孔１４Ａ，１４Ｂに挿通させ、平板１０１及び突出片１０３で取り囲まれる空間に形成されている第３挿通孔１０３Ａにも挿通させる。そして、封印ワイヤ１３の両端を封印鉛１７を用いて圧着することによって、スマートメータ１に対する封印取付具１００の取付操作が完了する。封印鉛１７は、例えば亀甲形状を呈していることとする。
【００３３】
尚、本実施形態において、封印取付具１００をスマートメータ１の両側に取り付けている。しかし、需要家宅の上下水道管やガス管等の配管スペースに起因して、電力会社の作業員がスマートメータ１の正面と対面することが難しい狭い場所をスマートメータ１の設置位置として設定せざるを得ず、電力会社の作業員がスマートメータ１の側面と対面することになる場合、封印取付具１００をスマートメータ１の片側（電力会社の作業員が対面する側）に取り付けるだけでよい。
【００３４】
封印取付具１００がスマートメータ１に取り付けられると、封印取付具１００が雄螺子１２Ａ，１２Ｂの軸（螺合方向）を中心に回動可能な範囲は、規制片１０４がカバー７において実質的に直交する２つの面７Ｂ，７Ｃに当接する位置の間に制限される。従って、雄螺子１２Ａ，１２Ｂを緩め続けると、封印ワイヤ１３が一定以上の張力を受けて破断することとなる。
【００３５】
以上説明したように、電力ケーブルが接続される端子部２と、電力使用量を計測する計測部３と、電力使用量の計測結果を外部に対して通信する通信部５と、が収容される本体６と、本体６に装着されるカバー７と、カバー７が本体６に装着されているときにカバー７の第１挿通孔１１Ａ，１１Ｂを通して本体６の雌螺子１０Ａ，１０Ｂに螺合し、カバー７を本体６に固定させる雄螺子１２Ａ，１２Ｂと、を備えたスマートメータ１の封印取付具１００であって、雄螺子１２Ａ，１２Ｂの頭部１２Ｃの径よりも大きい径を有する大径孔１０２Ａと、雄螺子１２Ａ，１２Ｂの頭部１２Ｃの径よりも小さく且つ雄螺子１２Ａ，１２Ｂの径よりも大きい径を有する小径孔１０２Ｂと、が連続して形成され、雄螺子１２Ａ，１２Ｂが小径孔１０２Ｂを挟んで雌螺子１０Ａ，１０Ｂに螺着されるように、雄螺子１２Ａ，１２Ｂを大径孔１０２Ａから小径孔１０２Ｂへ案内する達磨孔１０２と、封印ワイヤ１３が雄螺子１２Ａ，１２Ｂの頭部１２Ｃの第２挿通孔１４Ａ，１４Ｂとともに挿通される第３挿通孔１０３Ａと、達磨孔１０２及び第３挿通孔１０３Ａが形成される平板１０１と、雄螺子１２Ａ，１２Ｂが小径孔１０２Ｂを挟んで雌螺子１０Ａ，１０Ｂに螺着された状態において、平板１０１の移動を規制する規制片１０４と、を備えている。
【００３６】
又、封印取付具１００は、平板１０１から突出し、平板１０１と囲まれた領域に第３挿通孔１０３Ａを形成する突出片１０３を有する。又、突出片１０３は、アーチ形状を呈している。又、突出片１０３は、規制片１０４に対して達磨孔１０２よりも近い位置に設けられている。
【００３７】
又、規制片１０４は、カバー７の平板１０１が接する面７Ａとは異なる面７Ｂ，７Ｃの何れか一方に接する。
【００３８】
又、規制片１０４は、平板１０１の端部１０１Ｃから平板１０１の厚み方向に延在するように形成されている。
【００３９】
又、封印取付具１００は、樹脂を用いて一体成形される。
【００４０】
そして、本実施形態に係る封印取付具１００を採用することによって、スマートメータ１の設置場所が比較的狭くて、電力会社の作業員がスマートメータ１の正面に向かって封印作業を行うことができないような場所であったとしても、封印取付具１００をスマートメータ１に効率よく取り付けることが可能になり、又、スマートメータ１の信頼性を向上させることが可能になる。
【００４１】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００４２】
１  スマートメータ
２  端子部
２Ａ  複数の端子
３  計測部
４  表示部
４Ａ  表示パネル
５  通信部
６  本体
７  カバー
７Ａ，７Ｂ，７Ｃ  面
８  収容部
９Ａ，９Ｂ  縁
１０Ａ，１０Ｂ  雌螺子
１１Ａ，１１Ｂ  第１挿通孔
１２Ａ，１２Ｂ  雄螺子
１３  封印ワイヤ
１４Ａ，１４Ｂ  第２挿通孔
１５  隙間
１６  内部空間
１７  封印鉛
１００  封印取付具
１０１  平板
１０１Ａ，１０１Ｂ  面
１０１Ｃ  端部
１０２  達磨孔
１０２Ａ  大径孔
１０２Ｂ  小径孔
１０３  突出片
１０３Ａ  第３挿通孔
１０４  規制片
１０４Ｂ  面
【図１】
2018040606.tif 000003
【図２】
2018040606.tif 000004
【図３】
2018040606.tif 000005
【図４Ａ】
2018040606.tif 000006
【図４Ｂ】
2018040606.tif 000007
【図４Ｃ】
2018040606.tif 000008
【図５】
2018040606.tif 000009
【図６Ａ】
2018040606.tif 000010
【図６Ｂ】
2018040606.tif 000011
【図７Ａ】
2018040606.tif 000012
【図７Ｂ】
2018040606.tif 000013